(57)【特許請求の範囲】
【請求項１】
複数の電気錠の施解錠動作を分散制御する電気錠制御装置において、
前記電気錠を駆動するための電源を各電気錠に供給する電源手段と、
前記電気錠にチャネル番号を設定するチャネル設定回路、上位側に施解錠要求信号を通知し、上位側から施解錠許可信号を受信する下位通信ドライバ回路、前記電気錠の施錠、解錠を行う電気錠駆動回路、及び前記電気錠駆動回路に施錠、解錠を指令する下位ＣＰＵによって構成され、前記複数の電気錠をそれぞれ施解錠制御する複数の扉制御部と、
前記扉制御部との通信を行う上位通信ドライバ回路、前記各扉制御部として接続された前記電気錠のチャネル数を設定するチャネル数設定回路、及び上位ＣＰＵから構成されたコントローラと、
を備え、
前記上位ＣＰＵでは、前記通信ドライバ回路を介して前記施解錠要求信号を受信したとき、前記複数の扉制御部のうち、一台も動作していないか、あるいは動作中の電気錠が同時動作の可能な台数範囲内であるかどうかを判定し、新たな１台の扉制御部で施解錠が可能なタイミングになったとき、施解錠要求のあった当該扉制御部に対して前記施解錠許可信号を送信し、施解錠駆動時間経過タイマをスタートさせ、前記下位ＣＰＵでは、前記電源手段の電流容量に規定された台数の電気錠に限定して当該扉制御部の前記電気錠駆動回路に施解錠動作を許可することを特徴とする電気錠制御装置。
【請求項２】
電気錠を駆動するための電源を各電気錠に供給する電源手段と、前記電気錠にチャネル番号設定を行うチャネル設定回路、上位側に施解錠要求信号を通知し、上位側から施解錠許可信号を受信する下位通信ドライバ回路、前記電気錠の施錠、解錠を行う電気錠駆動回路、及び前記電気錠駆動回路に施錠、解錠を指令する下位ＣＰＵによって構成され、前記複数の電気錠をそれぞれ施解錠制御する複数の扉制御部と、前記扉制御部との通信を行う上位通信ドライバ回路、前記各扉制御部として接続された前記電気錠のチャネル数を設定するチャネル数設定回路、及び上位ＣＰＵから構成されたコントローラと、を備えた電気錠制御装置で、前記複数の電気錠を施解錠制御する電気錠の施解錠制御方法において、
前記下位ＣＰＵで、前記電気錠毎に施解錠を要求する施解錠要求信号を発生するステップと、
前記上位ＣＰＵで、前記施解錠要求信号に基づいて、施解錠中の電気錠と施解錠を要求している電気錠との合計台数が同時動作可能範囲内であるかどうかを判断するステップと、
前記電気錠の台数が同時動作可能範囲内であるときのみ、施解錠を要求している前記下位ＣＰＵから各電気錠に施解錠許可信号を与えて、その施解錠を実行するステップと、
を含んでいることを特徴とする電気錠の施解錠制御方法。
【請求項３】
前記電気錠の台数が同時動作可能範囲を越えたときは、前記上位ＣＰＵでは施解錠を要求している各電気錠に対する施解錠許可信号を一時保留することを特徴とる請求項２記載の電気錠の施解錠制御方法。
【発明の詳細な説明】
【０００１】
【発明の属する技術分野】
この発明は、電気錠制御装置及び電気錠の施解錠制御方法に関し、特に、ロッカー等、複数の扉にそれぞれ設けられた電気錠の施解錠に際して、電力消費が一時期に集中しないように施解錠動作の分散制御を行う電気錠制御装置及び電気錠の施解錠制御方法に関する。
【０００２】
【従来の技術】
従来、各人が所有するカードを挿入するなどによって、そのカードに磁気記録されたコード等が読み取られ、予め登録されているコードと照合され、その照合結果が一致すれば、施錠されている電気錠が解錠されて入室が可能となる、という施解錠制御システムがあった。
【０００３】
こうした部屋の扉における施解錠制御システムをロッカーシステムに適用した場合には、多数のロッカー扉を一台の電源装置で施解錠操作することになる。そのため、一つのロッカー扉の電気錠を施解錠するときでも相当量の電流供給が必要であるが、ロッカーシステムは全てのロッカー扉の電気錠が一斉に施解錠される場合を想定しなくてはならない。したがって、ロッカーシステムでは極めて大容量の電流供給が可能な電源装置を必要としていた。
【０００４】
【発明が解決しようとする課題】
このように、従来のロッカーシステムでは、実際には一斉同時の施解錠は発生頻度が少ないにもかかわらず、各電気錠における施解錠動作の確実性を保証するために、ロッカー扉数×１扉当たりの消費電流から導かれる大きな電流容量の電源装置を備えていなくてはならなかった。
【０００５】
この発明の目的は、一斉の施解錠要求があっても、実際の施解錠動作を分散して実行することで、全体での消費電流を低減するようにした電気錠制御装置、及び電気錠の施解錠制御方法を提供することにある。
【０００６】
【課題を解決するための手段】
上記目的を達成するために、複数の電気錠の施解錠動作を分散制御する電気錠制御装置が提供される。この電気錠制御装置は、前記電気錠を駆動するための電源を各電気錠に供給する電源手段と、前記電気錠にチャネル番号を設定するチャネル設定回路、上位側に施解錠要求信号を通知し、上位側から施解錠許可信号を受信する下位通信ドライバ回路、前記電気錠の施錠、解錠を行う電気錠駆動回路、及び前記電気錠駆動回路に施錠、解錠を指令する下位ＣＰＵによって構成され、前記複数の電気錠をそれぞれ施解錠制御する複数の扉制御部と、前記扉制御部との通信を行う上位通信ドライバ回路、前記各扉制御部として接続された前記電気錠のチャネル数を設定するチャネル数設定回路、及び上位ＣＰＵから構成されたコントローラと、を備え、前記上位ＣＰＵでは、前記通信ドライバ回路を介して前記施解錠要求信号を受信したとき、前記複数の扉制御部のうち、一台も動作していないか、あるいは動作中の電気錠が同時動作の可能な台数範囲内であるかどうかを判定し、新たな１台の扉制御部で施解錠が可能なタイミングになったとき、施解錠要求のあった当該扉制御部に対して前記施解錠許可信号を送信し、施解錠駆動時間経過タイマをスタートさせ、前記下位ＣＰＵでは、前記電源手段の電流容量に規定された台数の電気錠に限定して当該扉制御部の前記電気錠駆動回路に施解錠動作を許可するように構成される。
【０００７】
また、この発明では、電気錠を駆動するための電源を各電気錠に供給する電源手段と、前記電気錠にチャネル番号設定を行うチャネル設定回路、上位側に施解錠要求信号を通知し、上位側から施解錠許可信号を受信する下位通信ドライバ回路、前記電気錠の施錠、解錠を行う電気錠駆動回路、及び前記電気錠駆動回路に施錠、解錠を指令する下位ＣＰＵによって構成され、前記複数の電気錠をそれぞれ施解錠制御する複数の扉制御部と、前記扉制御部との通信を行う上位通信ドライバ回路、前記各扉制御部として接続された前記電気錠のチャネル数を設定するチャネル数設定回路、及び上位ＣＰＵから構成されたコントローラと、を備えた電気錠制御装置で、前記複数の電気錠を施解錠制御する電気錠の施解錠制御方法が提供される。この施解錠制御方法は、前記下位ＣＰＵで、前記電気錠毎に施解錠を要求する施解錠要求信号を発生するステップと、前記上位ＣＰＵで、前記施解錠要求信号に基づいて、施解錠中の電気錠と施解錠を要求している電気錠との合計台数が同時動作可能範囲内であるかどうかを判断するステップと、前記電気錠の台数が同時動作可能範囲内であるときのみ、施解錠を要求している前記下位ＣＰＵから各電気錠に施解錠許可信号を与えて、その施解錠を実行するステップとを含んで構成されている。
【０００８】
【発明の実施の形態】
以下、この発明の実施の形態について、図面を参照して説明する。
図１は、複数の扉制御部からなる施解錠制御システムの部分的な構成を示すブロック図である。
【０００９】
この図１に示すように、Ｎ個のロッカー扉を有するロッカーシステムは、電気錠＃１〜＃Ｎをそれぞれ施解錠するための複数の扉制御部を備えている。第１の扉制御部は、第１のロッカー扉の電気錠１を施解錠制御するために、ＣＰＵ２、チャネル設定回路３、上位通信ドライバ回路４、及び一対の電気錠駆動回路５，６によって構成されている。
【００１０】
ＣＰＵ２は、チャネル設定回路３によって電気錠１のチャネル番号などの設定がなされる。また、ＣＰＵ２は、上位通信ドライバ回路４によって上位側に施解錠要求を通知するとともに、上位側からの施解錠許可指示を受信する。
【００１１】
電気錠駆動回路５は、ＣＰＵ２からの施錠信号によって電気錠１を施錠するように駆動する。また、電気錠駆動回路６は、ＣＰＵ２からの解錠信号によって電気錠１を解錠するように駆動する。
【００１２】
第Ｎの扉制御部は、第Ｎのロッカー扉に設けられた電気錠１（＃Ｎ）の施解錠動作を制御するものであって、第１〜第（Ｎ−１）の扉制御部と同様に、ＣＰＵ２、チャネル設定回路３、上位通信ドライバ回路４、及び一対の電気錠駆動回路５，６によって構成されている。
【００１３】
これらＮ個の扉制御部は、上位通信ドライバ回路４を介して、いずれも同じ上位側のコントローラと接続され、それぞれが施解錠動作の許可信号を受信したタイミングで、対応する電気錠を駆動してロッカー扉を施解錠するように構成されている。
【００１４】
図２は、それぞれの扉制御部における施解錠制御の手順を示すフローチャートである。
ステップＳ１では、いずれかのロッカーの扉操作が行われて、対応するＣＰＵ２に対してロッカー扉の施解錠動作が指示される。複数のロッカー扉を備えたロッカーシステムでは、この扉操作はロッカーの扉制御部に設けられた図示しないテンキーなどの入力装置を用いて実行される。
【００１５】
ステップＳ２では、こうしたロッカー扉の施錠、又は解錠のための扉操作がなされた扉制御部で、実際に施解錠動作が必要かどうかを判定する。すなわち、暗証番号の入力などが正しく行われたときは、扉制御部では施解錠が必要であると判断し、施解錠要求信号が上位通信ドライバ回路４から上位側のコントローラへ送信され（ステップＳ３）、ステップＳ４に進む。このとき、ステップＳ２において、間違った暗証番号が入力されたとＣＰＵ２が判断した場合には、ステップＳ１での扉操作は無視され、ステップＳ１に戻る。
【００１６】
ＣＰＵ２は、施解錠要求信号を送信した後は、上位側のコントローラからの施解錠許可のコマンドの受信を待つ（ステップＳ４，Ｓ５）。ステップＳ５で、施解錠許可のコマンドを受信したとき、ステップＳ６に進んで規定時間だけ電気錠を駆動して、対応するロッカー扉の施解錠を実行する。
【００１７】
図３は、上述したロッカーシステムにおける上位側のコントローラの構成を示すブロック図である。
コントローラは、図１に示す下位の扉制御部との通信を行う下位通信ドライバ回路２１、下位の扉制御部として接続されたチャネル数を設定するチャネル数設定回路２２、及びＣＰＵ２３から構成されている。ＣＰＵ２３は、下位通信ドライバ回路２１を介して電気錠の施解錠要求信号を受信したとき、複数の扉制御部のうち、一台も動作していないか、あるいは動作中の電気錠が同時動作の可能な台数範囲内であるかどうかを判定し、新たな１台の扉制御部で施解錠が可能なタイミングになったとき、施解錠要求のあった扉制御部に対して施解錠許可信号を送信するものである。
【００１８】
図４は、上位側のコントローラにおける制御手順を示すフローチャートである。
ステップＳ１１では、上位側のコントローラは、下位通信ドライバ回路２１を介して下位に接続された複数の扉制御部に対する電気錠＃１〜＃Ｎの施解錠要求信号の受信を待つ。各々の扉制御部では、扉操作により電気錠の施錠／解錠を行う必要が生じた際に、施解錠要求が発生したとして上位側のコントローラに通知する。
【００１９】
上位側のコントローラで施解錠要求信号を受信したとき、次に説明するようにステップＳ１３以降の各ステップに進んで、施解錠要求のあった扉制御部以外の扉制御部で現在施解錠動作中かどうかを判断し、それに応じて施解錠の許可を通知するかどうかの判定が実行される。この施解錠の許可を通知するかどうかの判定は、コントローラのＣＰＵ２３で実行され、施解錠要求のあった扉制御部に送信される。
【００２０】
すなわち、ステップＳ１３では下位に接続されたその他の扉制御部のうち、一台も施解錠動作を実行していないかどうかを判定する。この判定は、すでに別の扉制御部に対して施解錠許可通知を送信してから規定時間が経過していなければ、施解錠動作中のものがあるとする。ここでは、ロッカー扉の施解錠に必要な電気錠の駆動は、規定時間内に終了することを前提としている。
【００２１】
ステップＳ１４では、動作中の電気錠が同時動作の可能な台数範囲内であるかどうかの判定が行われる。同時動作の可能な台数は、このロッカーシステムに使用されている電源装置の電流容量によって決定される。
【００２２】
ステップＳ１５では、新たな１台の扉制御部で施解錠が可能なタイミングになったとき、施解錠要求のあった扉制御部に対して施解錠許可信号を送信する。すなわち、電源の供給可能な台数範囲内で施解錠動作をしているのであれば、新たに施解錠要求があった扉制御部に対しても施解錠許可信号を送信する。
【００２３】
最後に、ステップＳ１６ではＣＰＵ２３内のタイマカウンタにより施解錠駆動時間経過タイマをスタートさせる。このタイマが規定時間をカウントアップしたとき、当該扉制御部での施解錠動作が完了したものとしている。
【００２４】
ステップＳ１４ですぐに施解錠動作をしてはならない場合、ステップＳ１７に進んで、扉制御部からの施解錠要求を一時的に保留とし、ＣＰＵ２３の内部で記憶しておく。そして、次に下位からの要求の発生を待ちながら、ステップＳ１２からステップＳ１３に進んで、保留している施解錠要求に対して、施解錠が可能な状態になった時点で施解錠許可信号を送信する。
【００２５】
【発明の効果】
以上に説明したように、この発明の電気錠制御装置は、同時に多数の扉での施解錠操作が発生しても、同時には限られた台数の扉だけしか動作させないように構成されているので、複数台のロッカーに対して小容量の電源装置を設置するだけで、それぞれの電気錠を開閉動作させることができる。
【００２６】
また、この発明の電気錠の施解錠制御方法によれば、電気錠の台数が同時動作可能範囲内であるときのみ、施解錠を要求している各電気錠に施解錠許可信号を与えて、その施解錠を実行するようにしているので、一斉の施解錠要求があっても、実際の施解錠動作を分散して実行することで、全体での消費電流を低減することができる。
【図面の簡単な説明】
【図１】扉制御部の構成を示すブロック図である。
【図２】扉制御部の制御フローチャートを示す図である。
【図３】上位コントローラの構成を示すブロック図である。
【図４】上位コントローラの制御フローチャートを示す図である。
【符号の説明】
１  電気錠
２  ＣＰＵ
３  チャネル設定回路
４  上位通信ドライバ回路
５，６  電気錠駆動回路
２１  下位通信ドライバ回路
２２  チャネル数設定回路
２３  ＣＰＵ
【図１】
0004438257.tif 000002
【図２】
0004438257.tif 000003
【図３】
0004438257.tif 000004
【図４】
0004438257.tif 000005